(57)【要約】【課題】記憶部で一旦記憶した画像データの属性変更に合わせて画像データを編集し直すことができるようにする。【解決手段】画像ファイル３１は、複数頁の原稿からなる文書単位の画像データを所定時間記憶する。ＣＰＵ１１は、操作パネル１５を介して、連続する複数頁の原稿の画像を記録媒体に形成させるための属性情報、Ｎアップ印刷や両面印刷等の変更を受付ける。変更を受付けた属性情報に基づいて、画像ファイル３１に記憶された画像データを、画像編集部１８を利用して変換する。【選択図】      図１
2011030087.tif 000002
【特許請求の範囲】
【請求項１】
複数頁の原稿からなる文書単位の画像データを記憶する記憶部を備え、この記憶部に所定時間記憶された画像データを読み出し、この画像データに基づく画像を記録媒体に形成する画像形成装置において、
連続する複数頁の原稿の画像を前記記録媒体に形成させるための属性情報の変更を受付ける属性変更受付手段と、
この属性変更受付手段により変更を受付けた属性情報に基づいて前記記憶部に記憶された画像データを変換するデータ変換手段と、
を具備したことを特徴とする画像形成装置。
【請求項２】
前記属性変更受付手段が受付ける属性情報は、連続する複数頁の原稿の画像を縮小して前記記録媒体の一面に集約して形成させるための情報であり、
前記データ変換手段は、連続する複数頁の原稿の画像が縮小されて前記記録媒体の一面に集約して形成されるように前記画像データを変換することを特徴とする請求項１記載の画像形成装置。
【請求項３】
前記属性変更受付手段が受付ける属性情報は、連続する複数頁の原稿の画像を前記記録媒体の第１の面とその反対側の第２の面とに交互に形成させるための情報であり、
前記データ変換手段は、連続する複数頁の原稿の画像が前記記録媒体の第１の面と第２の面とに交互に形成されるように前記画像データを変換することを特徴とする請求項１記載の画像形成装置。
【請求項４】
前記属性変更受付手段は、前記記憶部に記憶された複数の文書単位の画像データの中から選択された画像データに対する属性情報の変更を受付ける手段であり、
前記データ変換手段は、前記記憶部に記憶された複数の文書単位の画像データの中から選択された画像データに対して変換を行うことを特徴とする請求項１乃至３のうちいずれか１記載の画像形成装置。
【発明の詳細な説明】
【技術分野】
【０００１】
本発明は、コピー機能の他にプリント機能やファクシミリ機能などを備えた複合型の複写機いわゆる複合機や、プリンタ等の画像形成装置に関する。
【背景技術】
【０００２】
従来、画像形成要求のあった文書単位の画像データを画像形成することなく記憶部で記憶し、この記憶部にて所定時間記憶された複数の文書単位の画像データを１つの画像形成単位としてまとめて画像形成するようにした画像形成装置が知られている（例えば、特許文献１参照）。
【０００３】
この種の画像形成装置は、画像形成処理時と待機時との切替回数が低減されるので、省電力効率を高める効果を奏し得る。
【０００４】
ところで近年、記録媒体として使用される資源の有効利用の観点から、連続する複数頁の原稿の画像を記録媒体の第１の面とその反対側である第２の面とに交互に形成する、いわゆる両面印刷や、連続する複数頁の原稿の画像を縮小し、例えば２分割や４分割に区分された記録媒体の一面に集約して形成する、いわゆるＮアップ印刷の活用が奨められている。
【０００５】
一般に、両面印刷やＮアップ印刷を行うか否かは、画像データの作成前に設定され、その設定にしたがって画像データが作成される。つまり、両面印刷が設定された場合には、連続する複数頁の原稿の画像が、記録媒体の第１の面と第２の面とに交互に形成されるように画像データが作成される。Ｎアップ印刷が設定された場合には、連続する複数頁の原稿の画像が縮小されて記録媒体の一面に集約して形成されるように画像データが作成される。
【０００６】
画像形成装置においては、画像形成要求のあった複数頁分の画像データに対して両面印刷が設定されていた場合には、頁順に画像データを読み出して、記録媒体の第１の面と第２の面とに交互に画像を形成する。一方、Ｎアップ印刷については、設定されているか否かに係らず、頁順に画像データを読み出して、記録媒体の一面に画像を形成する。
【発明の概要】
【発明が解決しようとする課題】
【０００７】
従来の画像形成装置は、画像データを記憶部で所定時間記憶することはできたものの、一旦記憶した画像データを、例えば片面印刷対応のデータから両面印刷対応のデータに変換したり、標準倍率対応のデータからＮアップ印刷対応のデータに変換したりすることができなかった。
【０００８】
このため、両面印刷やＮアップ印刷を設定し忘れて画像形成要求をしてしまった場合、ユーザはこの画像形成要求を一旦キャンセルし、再度、両面印刷対応やＮアップ印刷対応の画像データで画像形成要求を行わなければならなかった。
【０００９】
本発明はこのような事情に基づいてなされたもので、その目的とするところは、記憶部で一旦記憶した画像データを属性の変更に合わせて編集し直すことができ、使い勝手を向上させることができる画像形成装置を提供しようとするものである。
【課題を解決するための手段】
【００１０】
本発明は、複数頁の原稿からなる文書単位の画像データを記憶する記憶部を備え、この記憶部に所定時間記憶された画像データを読み出し、この画像データに基づく画像を記録媒体に形成する画像形成装置において、連続する複数頁の原稿の画像を記録媒体に形成させるための属性情報の変更を受付ける属性変更受付手段と、この属性変更受付手段により変更を受付けた属性情報に基づいて記憶部に記憶された画像データを変換するデータ変換手段とを備えたものである。
【発明の効果】
【００１１】
かかる手段を講じた本発明によれば、記憶部で一旦記憶した画像データを属性の変更に合わせて編集し直すことができ、使い勝手を向上させることができる画像形成装置を提供できる。
【図面の簡単な説明】
【００１２】
【図１】本発明の一実施形態である複合機の要部構成を示すブロック図。
【図２】同複合機の操作パネルを示す平面図。
【図３】同複合機のジョブ管理テーブルに記憶されるジョブ管理データの構造を示す模式図。
【図４】同複合機のＣＰＵが実行するジョブ確認処理の要部処理手順を示す流れ図。
【図５】ジョブ一覧画面の一表示例を示す図。
【図６】ジョブ設定変更両面の一表示例を示す図。
【図７】２アップ変更処理を実行した際の画像データの変遷図。
【図８】両面印刷変更処理を実行した際の画像データの変遷図。
【発明を実施するための形態】
【００１３】
以下、本発明の一実施形態を、図面を用いて説明する。なお、この実施形態は、本発明に係る画像形成装置を複合機に適用した場合である。
【００１４】
図１は、複合機１の要部構成を示すブロック図である。複合機１は、制御部本体を構成するＣＰＵ（Central Processing Unit）１１、プログラム等の固定的データが格納されたＲＯＭ（Read Only Memory）１２の他、ＲＡＭ（Random Access Memory）１３、ＨＤＤ（Hard Disk Drive）１４、操作パネル１５、画像読取部１６、画像形成部１７、画像編集部１８及びネットワークインターフェース１９を備え、各部をアドレスバス，データバス等のバスラインで接続している。
【００１５】
操作パネル１５は、図２に示すように、タッチパネル式の表示部２１及びテンキー２２の他、ジョブ確認ボタン２３、メニューボタン２４、クリアボタン２５、スタートボタン２６等の各種ファンクションボタンを備えたもので、複合機１の本体上面に設けられている。
【００１６】
画像読取部１６は、スキャナを備え、原稿台に置かれた原稿の画像を光学的にスキャニングして読み取り、画像信号に変換して出力する。出力された画像信号は、画像データとして、ＨＤＤ１４の画像ファイル３１に保存する。
【００１７】
画像形成部１７は、電子写真方式により画像を形成する。すなわち、画像ファイル３１に保存された画像データに基づき、紙等の記録媒体にトナーで画像を形成し、さらに熱定着器を利用してトナー画像を記録媒体に定着させて、画像形成を行う。
【００１８】
画像編集部１８は、ＣＰＵ１１の制御により、画像ファイル３１に保存された画像データを編集する部位で、画像回転部４１と画像変倍部４２とを有する。画像回転部４１は、画像データを例えば右９０度、左９０度及び１８０度のいずれかの角度で回転させる。画像変倍部４２は、画像データを所定の倍率で拡大又は縮小する。
【００１９】
ネットワークインターフェース１９は、ＬＡＮ（Local Area Network）等のネットワーク２を介して接続される複数の利用者端末３との間のデータ通信を制御する。
【００２０】
利用者端末３は、文書ファイルの作成、編集等の機能を有するコンピュータ機器、例えばパーソナルコンピュータである。利用者端末３において、ユーザにより文書ファイルの印刷が指令されると、利用者端末３は、文書ファイルのデータから１乃至複数頁の原稿からなる文書単位の画像データを形成する。そして、この画像データを含む印刷ジョブコマンドを生成し、ネットワーク２を介して複合機１に送信する。
【００２１】
印刷ジョブコマンドを受信した複合機１は、そのコマンドに含まれる画像データをＨＤＤ１４の画像ファイル３１に保存する。また、コマンドのデータに基づいてジョブ管理データを編集し、ＲＡＭ１３のジョブ管理テーブル３２に格納する。ジョブ管理データは、図３に示すように、ジョブ番号、ユーザ情報、保存時間、優先度、状態情報、原稿サイズ、出力サイズ、部数、頁数、両面印刷モード及び頁別の画像ファイル名で構成される。ジョブ管理データは、対応する画像データの画像形成が終了すると、ジョブ管理テーブル３２からクリアされる。
【００２２】
ジョブ番号は、印刷ジョブコマンドからジョブ管理データが作成される毎にそのデータに対して割り当てられる固有の番号である。ユーザ情報は、印刷ジョブコマンドの送信元である利用者端末３のユーザ名である。保存時間は、ジョブ管理データによって管理される画像データの画像ファイル３１での保存時間である。優先度は、例えば１〜４の４段階有り、優先度１は、直ぐに出力（最優先で出力）を示し、優先度２は、任意時間Ａに出力（一番近い次の出力設定時間）を示し、優先度３は、任意時間Ｂに出力（任意時間Ａから一定時間後の出力設定時間）、優先度４は、任意時間Ｃに出力（次の日の朝一番での出力）を示している。状態情報は、“０”は未処理を示し、“１”は処理済を示している。
【００２３】
原稿サイズは、原稿１頁分の画像データの用紙サイズである。出力サイズは、画像形成を行なう記録媒体の用紙サイズである。部数は、印刷部数である。頁数は、画像データを構成する原稿の頁数である。両面印刷モードは、“０”は片面印刷を示し、“１”は両面印刷を示している。頁別画像ファイル名は、対応する頁の原稿画像データに対して割り当てられたファイル名である。
【００２４】
かかる構成の複合機１は、画像ファイル３１に記憶される文書単位の画像データにそれぞれ対応するジョブ管理データの優先度に基づいて、まとめて画像形成する複数の文書単位の画像データを判断し、この判断された、まとめて画像形成する複数の文書単位の画像データを画像ファイル３１から順次読み出して、画像形成部１７により記録媒体に画像形成する機能を有している。この機能については、本願と出願人が同一の特開２００１−０２６１６３号公報に詳しく記載されているので、ここでの説明は省略する。
【００２５】
また、当該複合機１は、本発明に係る特有の機能として、ジョブ確認機能を有している。この機能は、例えばＲＯＭ１２に記憶されたジョブ確認プログラムにしたがって、ＣＰＵ１１が図４の流れ図に示す手順のジョブ確認処理を実行することによって実現される。
【００２６】
すなわちＣＰＵ１１は、ジョブ確認ボタン２３が操作入力されたことを検知すると、このジョブ確認処理を開始する。先ず、ＳＴ（ステップ）１としてジョブ管理テーブル３２に格納されたジョブ管理データに基づきジョブ一覧画面５０を作成して、表示部２１に表示させる。
【００２７】
ジョブ一覧画面５０の一例を図５に示す。図示するように、ジョブ一覧画面５０には、ジョブ管理テーブル３２に格納されているジョブ管理データのジョブ番号、ユーザ情報（ユーザ名）及び状態情報（状態）と、その印刷ジョブの進捗状況とを１行として、ジョブ管理データの数だけ整列させたジョブ管理リスト５１が表示される。また、終了ボタン５２と、設定変更ボタン５３の各画像が表示される。なお、ジョブ管理リスト５１の状態表示において、項目「待機中」は、対応するジョブ番号で管理される画像データの画像形成を実行しておらずその画像データを画像ファイル３１で保存中であることを示し、その場合、進捗表示は、「０／頁数」で示す。また、項目「印刷中」は、対応するジョブ番号で管理される画像データの画像形成を実行中であることを示し、その場合、進捗表示は、「画像形成完了頁数／頁数」で示す。
【００２８】
ジョブ一覧画面５０を表示させた後、ＣＰＵ１１は、ＳＴ２としてその画面上の終了ボタン５２が入力されるか、ＳＴ３として設定変更ボタン５３が入力されるのを待機する。ジョブ一覧画面５０の終了ボタン表示領域がタッチ操作されたことを検知すると、ＣＰＵ１１は、終了ボタン５２が入力されたと判断する（ＳＴ２のＹＥＳ）。この場合、ＣＰＵ１１は、ＳＴ４としてジョブ一覧画面５０を消去して、今回のジョブ確認処理を終了する。
【００２９】
ジョブ一覧画面５０の設定変更ボタン表示領域がタッチ操作されたことを検知すると、ＣＰＵ１１は、設定変更ボタン５３が入力されたと判断する（ＳＴ３のＹＥＳ）。この場合、ＣＰＵ１１は、ＳＴ５として設定変更対象の印刷ジョブが選択されているか否かを判断する。
【００３０】
ジョブ一覧画面５０の設定変更ボタン表示領域がタッチ操作される前に、ジョブ管理リスト５１のいずれかの行内がタッチ操作されている場合には、その行に表示されているジョブ番号の印刷ジョブが設定変更対象として選択されているものと判断する（ＳＴ５のＹＥＳ）。それ以外の場合は、設定変更対象の印刷ジョブが選択されていないと判断する（ＳＴ５のＮＯ）。設定変更対象の印刷ジョブが選択されていない場合、ＣＰＵ１１は、終了ボタン５２または設定変更ボタン５３の入力待機状態に戻る。
【００３１】
設定変更対象の印刷ジョブが選択されていた場合には、ＣＰＵ１１は、ＳＴ６としてこの選択された印刷ジョブの状態が待機中であるか否かを判断する。待機中でない場合（ＳＴ６のＮＯ）、ＣＰＵ１１は、今回のジョブ確認処理をエラーとして終了する。
【００３２】
印刷ジョブの状態が待機中である場合には（ＳＴ６のＹＥＳ）、ＣＰＵ１１は、ＳＴ７としてその設定変更対象として選択された印刷ジョブのジョブ管理データをジョブ管理テーブル３２から取得する。そして、ＣＰＵ１１は、ＳＴ８として取得したジョブ管理データに基づいて、表示部２１に、その管理データによって管理される画像データの属性である出力サイズ、両面印刷モード及びＮアップ印刷モードの設定変更が可能なジョブ設定変更画面６０を表示させる（属性変更受付手段）。
【００３３】
ジョブ設定変更画面６０の一例を図６に示す。図示するように、ジョブ設定変更画面６０には、出力サイズの選択ボックス６１、両面印刷モードの選択ボックス６２、及びＮアップ印刷モードの選択ボックス６３が表示される。また、終了ボタン６４の画像が表示される。出力サイズの選択ボックス６１には、デフォルト値としてジョブ管理データの出力サイズが表示される。両面印刷モードの選択ボックス６２には、デフォルト値としてジョブ管理データの両面印刷モードの情報（「しない」または「する」）が表示される。Ｎアップ印刷モードの選択ボックス６３には、デフォルト値として「しない」が表示される。
【００３４】
ここで、出力サイズ選択ボックス６１のマーク“▽”がタッチ入力されると、選択可能な出力サイズの項目をプルダウンメニューとして表示させる。そして、このプルダウンメニューの中からいずれかの項目がタッチ入力されると、その項目を選択ボックス６１に表示させる。両面印刷モード選択ボックス６２及びＮアップ印刷モードの選択ボックス６３についても同様である。
【００３５】
ジョブ設定変更画面６０を表示させたＣＰＵ１１は、ＳＴ９としてその画面上の終了ボタン６４が入力されるのを待機する。ジョブ設定変更画面６０の終了ボタン表示領域がタッチ操作されたことを検知すると、ＣＰＵ１１は、終了ボタン６４が入力されたと判断する（ＳＴ９のＹＥＳ）。この場合、ＣＰＵ１１は、ＳＴ１０としてジョブ設定変更画面６０の出力サイズ、両面印刷モード及びＮアップ印刷モードについて、ＳＴ８の状態から設定変更があったか否かを判断する。設定変更がなかった場合（ＳＴ１０のＮＯ）、ＣＰＵ１１は、ＳＴ１７の処理に進み、ジョブ設定変更画面６０を消去して、今回のジョブ確認処理を終了する。
【００３６】
設定変更があった場合には（ＳＴ１０のＹＥＳ）、ＣＰＵ１１は、ＳＴ１１として出力サイズの設定に関して変更があったか否かを判断する。変更があった場合（ＳＴ１１のＹＥＳ）、ＣＰＵ１１は、ＳＴ１２として前記取得したジョブ管理データの出力サイズを、出力サイズ選択ボックス６１に表示されている項目の出力サイズ情報に書き換える。
【００３７】
ＳＴ１２の処理を終了した後、または出力サイズの設定に関して変更がなかった場合には（ＳＴ１１のＮＯ）、ＣＰＵ１１は、ＳＴ１３としてＮアップ印刷モードの設定に関して変更があったか否かを判断する。変更があった場合（ＳＴ１３のＹＥＳ）、ＣＰＵ１１は、ＳＴ１４として前記取得したジョブ管理データによって管理される印刷ジョブの画像データを、変更後のＮアップ印刷モードに基づいて変換する（データ変換手段）。
【００３８】
ＳＴ１４の処理を終了した後、またはＮアップ印刷モードの設定に関して変更がなかった場合には（ＳＴ１３のＮＯ）、ＣＰＵ１１は、ＳＴ１５として両面印刷モードの設定に関して変更があったか否かを判断する。変更があった場合（ＳＴ１５のＹＥＳ）、ＣＰＵ１１は、ＳＴ１６としてジョブ管理テーブル３２から取得したジョブ管理データによって管理される印刷ジョブの画像データを、変更後の両面印刷モードに基づいて変換する（データ変換手段）。
【００３９】
ＳＴ１６の処理を終了した後、または両面印刷モードの設定に関して変更がなかった場合には（ＳＴ１５のＮＯ）、ＣＰＵ１１は、ＳＴ１７としてジョブ設定変更画面６０を消去して、今回のジョブ確認処理を終了する。
【００４０】
このように、本実施形態の複合機１においては、複数頁の原稿からなる文書単位の画像データを記憶する記憶部として画像ファイル３１を備えている。そして、この画像ファイル３１に所定時間記憶された複数の文書単位の画像データを読み出し、１つの印刷単位としてまとめて、これらの画像データに基づく画像を記録媒体に形成するようにしている。したがって、印刷処理時と待機時との切替回数が低減されるので、省電力効率を高める効果を奏し得る。
【００４１】
このような特徴を有する複合機１において、さらに本実施形態では、ユーザがジョブ確認ボタン２３を操作入力すると、画像ファイル３１に記憶されている各画像データにそれぞれ対応するジョブ管理データに基づいて、表示部２１にジョブ一覧画面５０が表示される。この画面５０から待機中の印刷ジョブを選択して設定変更ボタン５３をタッチ入力すると、表示部２１の画面が当該印刷ジョブの設定変更画面６０に切り換わる。
【００４２】
ここで、今、ユーザがＮアップ印刷モードの選択ボックス６３を操作して、２アップ印刷モードを選択したとする。そうすると、当該印刷ジョブの画像データに対し、２アップ変更処理が実行される。この２アップ変更処理について、図７を用いて具体的に説明する。
【００４３】
２アップ変更処理が開始されると、ＣＰＵ１１は、先ず、該当するジョブ管理データから１頁目の画像ファイル名を取得し、画像ファイル３１から当該ファイル名の画像データ７１を取得する。また、同ジョブ管理データから２頁目の画像ファイル名を取得し、画像ファイル３１から当該ファイル名の画像データ７２を取得する。
【００４４】
次に、ＣＰＵ１１は、画像データ７１及び画像データ７２を画像編集部１８に与え、画像変倍部４２を動作させて、画像データ７１，７２をそれぞれ１／２の倍率で縮小する。縮小後の画像データをそれぞれ符号７３，７４で示す。
【００４５】
次に、ＣＰＵ１１は、さらに画像回転部４１を動作させて、１／２に縮小した画像データ７３，７４をそれぞれ右に９０度だけ回転させる。回転後の画像データを符号７５，７６で示す。
【００４６】
しかる後、ＣＰＵ１１は、右９０度回転させた１／２縮小画像データ７５，７６を、出力サイズの原稿の一面に集約して形成されるように結合する。結合した画像データを符号７６で示す。ＣＰＵ１１は、結合した画像データ７７を、当該印刷ジョブの１頁目画像データとして画像ファイル３１に上書き保存する。
【００４７】
以後、ＣＰＵ１１は、上記と同様にして、連続する２頁の画像データをそれぞれ１／２縮小するとともに右９０度回転させて結合し、１頁分の画像データとして画像ファイル３１に順次上書き保存する。
【００４８】
このように画像データを変換することによって、当該印刷ジョブが実行されると、その画像データは、連続する２頁の原稿の画像が縮小されて記録媒体の一面に集約して形成される。
【００４９】
次に、ユーザが両面印刷モードの選択ボックス６２を操作して、「両面印刷しない」から「両面印刷する」に変更したとする。そうすると、当該印刷ジョブの画像データに対し、両面印刷変更処理が実行される。この両面印刷変更処理について、図８を用いて具体的に説明する。なお、本実施形態の複合機１は、記録媒体の第１の面に画像を形成した後、この記録媒体を反転させて第１の面の反対側である第２の面に画像を形成するものとする。
【００５０】
両面印刷変更処理が開始されると、ＣＰＵ１１は、該当するジョブ管理データから２頁目の画像ファイル名を取得し、画像ファイル３１から当該ファイル名の画像データ８２を取得する。なお、図８において、符号８１は、１頁目の画像データ示す。
【００５１】
次に、ＣＰＵ１１は、画像データ８２を画像編集部１８に与え、画像回転部４１を動作させて、２頁目画像データ８１を１８０度回転させる。回転後の画像データを符号８３で示す。
【００５２】
しかる後、ＣＰＵ１１は、１８０度回転させた２頁画像データ８３を、当該印刷ジョブの２頁目画像データとして画像ファイル３１に上書き保存する。
【００５３】
以後、ＣＰＵ１１は、上記と同様にして、連続する２頁の画像テータのうち偶数頁の画像データをそれぞれ１８０度回転させ、同一頁の画像データとして上書き保存する。
【００５４】
このように画像データを変換することによって、当該印刷ジョブが実行されると、その画像データは、連続する２頁の原稿の画像が記録媒体の一方の面とその反対側の他方の面とに交互に形成される。
【００５５】
なお、「両面印刷する」から「両面印刷しない」への変更が指示された場合も、上記と同様に偶数頁目を１８０度回転させるように画像データを変換することによって対応することができる。
【００５６】
このように本実施形態によれば、画像ファイル３１で一旦記憶した画像データの属性変更、例えばＮアップ印刷モードの変更や両面印刷モードの変更に合わせて画像データを編集し直すことができるので、両面印刷やＮアップ印刷を設定し忘れて画像形成要求をしてしまった場合でも、ユーザはこの画像形成要求をキャンセルすることなく対応することができ、使い勝手のよいものとなる。
【００５７】
なお、この発明は前記実施形態そのままに限定されるものではなく、実施段階ではその要旨を逸脱しない範囲で構成要素を変形して具体化できる。
【００５８】
例えば、前記実施形態では、本発明を電子写真方式の画像形成部１７を有する複合機に適用した場合について説明したが、本発明はこれに限定されるものではなく、レーザプリンタ、インクジェットプリンタ等の画像形成装置であっても、複数頁の原稿からなる文書単位の画像データを記憶する記憶部を備えているものであれば適用できるものである。
【００５９】
また、前記実施形態では、連続する複数頁の原稿の画像を記録媒体に形成させるための属性情報として、Ｎアップ印刷の情報と両面印刷の情報とを示したが、属性情報はこれに限定されるものではない。
【００６０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【符号の説明】
【００６１】
１…複合機、１１…ＣＰＵ、１２…ＲＯＭ、１３…ＲＡＭ、１４…ＨＤＤ、１５…操作パネル、１６…画像読取部、１７…画像形成部、１８…画像編集部、１９…ネットワークインターフェース、２１…表示部、２３…ジョブ確認ボタン、３１…画像ファイル、３２…ジョブ管理テーブル、４１…画像回転部、４２…画像変倍部。
【先行技術文献】
【特許文献】
【００６２】
【特許文献１】特開２００１−０２６１６３号公報
【図１】
2011030087.tif 000003
【図２】
2011030087.tif 000004
【図３】
2011030087.tif 000005
【図４】
2011030087.tif 000006
【図５】
2011030087.tif 000007
【図６】
2011030087.tif 000008
【図７】
2011030087.tif 000009
【図８】
2011030087.tif 000010